(57)【要約】【課題】  ビット軸の長さ調節を行う場合、すなわちビット軸を短くするときも長くするときも握り柄の挿入孔からビット軸を引き抜くことなく行え、長さ調節を行う操作を簡単なものとし、しかも多段階に長さ調節を行うことができるドライバーを提供する。【解決手段】  複数個所に周溝３を形成したビット軸１と、前記ビット軸１を回転不能に保持する保持筒４を設けると共に、内部をこのビット軸１の挿入孔５とした握り柄２を別体としており、前記ビット軸１を握り柄２の保持筒４に差し込んだ状態において、前記ビット軸１のいずれかの周溝３をロックして、このビット軸１を離反不能にするロック機構６を、前記握り柄２の保持筒４に設けたものとしている。【選択図】        図４
0003117527.tif 000002
【実用新案登録請求の範囲】
【請求項１】
複数個所に周溝（３）を形成したビット軸（１）と、前記ビット軸（１）を回転不能に保持する保持筒（４）を設けると共に、内部をこのビット軸（１）の挿入孔（５）とした握り柄（２）を別体としており、前記ビット軸（１）を握り柄（２）の保持筒（４）に差し込んだ状態において、前記ビット軸（１）のいずれかの周溝（３）をロックして、このビット軸（１）を離反不能にするロック機構（６）を、前記握り柄（２）の保持筒（４）に設けたことを特徴とするドライバー。
【請求項２】
前記ロック機構（６）を、保持筒（４）に外挿された操作筒（８）と、保持筒（４）と操作筒（８）との間に装着され操作筒（８）を進退可能に動作させるコイルばね（９）と、操作筒（８）の前端部に形成した空間（１０）と、保持筒（４）の外周面から内周面に貫通する外拡がりのテーパ状の貫通孔（１１）と、この貫通孔（１１）に保持筒（４）の半径方向に移動可能に挿入されたボール（１２）と、保持筒（４）の前端外周面に装着された操作筒（８）の止めリング（１３）とからなるものとしたことを特徴とする請求項１記載のドライバー。
【請求項３】
前記操作筒（８）をコイルばね（９）の付勢力に対して後端側に移動させたときは、操作筒（８）の空間（１０）と貫通孔（１１）とが連通して、ボール（１２）が外方に移動可能となって、保持筒（４）にビット軸（１）が挿脱できる状態となり、前記操作筒（８）がコイルばね（９）の付勢力によって前端側に移動したときは、操作筒（８）の内周面により内方へ移動したボール（１２）がビット軸（１）の周溝（３）に嵌まって、保持筒（４）にビット軸（１）が抜け止め状態になるようにしたことを特徴とする請求項２記載のドライバー。
【考案の詳細な説明】
【技術分野】
【０００１】
この考案は、用途に応じてビット軸を長くしたり短くしたり、ビット軸の長さ調節を行うことができるドライバーに関するものである。
【背景技術】
【０００２】
従来、この種のドライバーには、例えば図１０、１１に示したように、ねじ釘やビス類を廻すビット軸２１の軸方向の複数個所に、短い突起ひだ２２、２２を設け、握り柄２３の先端部に嵌め込んだ円筒２４の内面軸方向に、円筒２４の先の部分のみに施した止め溝２５、２５と、円筒２４の長さ全部に施した通し溝２６、２６を設け、握り柄２３の内部に円筒２４の軸方向に延長して、ビット軸２１の全部が入り込める挿入孔２７を設けたものが存在する（特許文献１）。
【０００３】
このように構成した従来のドライバーは、ビット軸２１を円筒２４に通して突起ひだ２２、２２を止め溝２５、２５に収めれば、ビット軸２１の長いドライバーとして使用することができ、突起ひだ２２、２２を止め溝２５、２５より抜き出してから、通し溝２６、２６に通して、ビット軸２１を握り柄２３の挿入孔２７に押し込みながら、次の突起ひだ２２、２２を止め溝２５、２５に収めれば、ビット軸２１の短いドライバーとして使用することができるとしている。
【０００４】
さらに、この種のドライバーには、例えば図１２〜１５に示したように、ビット軸３１と握り柄３２とを別体としたドライバーにおいて、ビット軸３１のマイナスヘッド３３とプラスヘッド３４との間の外周面に軸方向に伸びる長溝３５、３５を１８０°対向して形成し、マイナスヘッド３３側に前記長溝３５、３５に９０°位相をずらして短溝３６、３６を１８０°対向して形成すると共に、プラスヘッド３４にも前記長溝３５、３５に９０°位相をずらして短溝３７、３７を１８０°対向して形成する。そして、前記握り柄３２の挿入孔３８の内周面に軸方向の突起３９、３９を１８０°対向して形成し、これらの突起３９、３９を前記長溝３５、３５、短溝３６、３６、短溝３７、３７に合致するようにしたものが存在する（特許文献２）。
【０００５】
このように構成した従来のドライバーは、マイナスヘッド３３を使用する場合にはプラスヘッド３４側を挿入孔３８内に挿入するが、このときビット軸３１に形成した長溝３５、３５を挿入孔３８に形成した突起３９に沿わせて嵌合させると、ビット軸３１は挿入孔３８の奥までスライドできるので短軸ドライバーの形式となり、ビット軸３１に形成した短溝３７、３７を挿入孔３８に形成した突起３９に沿わせて嵌合させると、ビット軸３１のスライドできる長さが短溝３７、３７の部分しかないため長軸ドライバーの形式となる。また、プラスヘッド３４を使用する場合にはマイナスヘッド３３側を挿入孔３８内に挿入させ、前記と同様にしてビット軸３１の軸長を変えることができるとしている。
【特許文献１】実開昭６２−８１５６９号公報（第１、２図）
【特許文献２】実開昭６３−４１４７８号公報（第１〜３図、第７図）
【考案の開示】
【考案が解決しようとする課題】
【０００６】
しかしながら、上記従来の図１０、１１に示したドライバーでは、ビット軸２１の長さ調節を行う場合、すなわちビット軸２１の長いドライバーとして使用していたのをビット軸２１の短いドライバーとして使用する場合、またはビット軸２１の短いドライバーとして使用していたのをビット軸２１の長いドライバーとして使用する場合のいずれにおいても、突起ひだ２２、２２を止め溝２５、２５より抜き出してから、その突起ひだ２２、２２を通し溝２６、２６に通して、ビット軸２１を握り柄２３の内部に押し込みながら、別の突起ひだ２２、２２を止め溝２５、２５に収めなければならず、この操作が面倒であるという問題点を有していた。
【０００７】
また、上記従来の図１２〜１５に示したドライバーでも、ビット軸３１の長さ調節を行う場合、握り柄３２の挿入孔３８からビット軸３１を一旦引き抜いてから、ビット軸３１を短くするときはビット軸３１に形成した長溝３５、３５を挿入孔３８に形成した突起３９、３９に沿わせて嵌合させなければならず、ビット軸３１を長くするときはビット軸３１に形成した短溝３６、３６または短溝３７、３７を挿入孔３８に形成した突起３９、３９１に沿わせて嵌合させなければならないので、この操作が面倒であるという問題点を有していた。
【０００８】
そこで、この考案は、上記従来の問題点を解決することをその課題としており、ビット軸の長さ調節を行う場合、すなわちビット軸を短くするときも長くするときも握り柄の挿入孔からビット軸を引き抜くことなく行え、長さ調節を行う操作を簡単なものとし、しかも多段階に長さ調節を行うことができるドライバーを提供することを目的としてなされたものである。
【課題を解決するための手段】
【０００９】
そのため、この考案のドライバーは、複数個所に周溝３を形成したビット軸１と、前記ビット軸１を回転不能に保持する保持筒４を設けると共に、内部をこのビット軸１の挿入孔５とした握り柄２を別体としており、前記ビット軸１を握り柄２の保持筒４に差し込んだ状態において、前記ビット軸１のいずれかの周溝３をロックして、このビット軸１を離反不能にするロック機構６を、前記握り柄２の保持筒４に設けたものとしている。
【００１０】
さらに、この考案のドライバーは、前記ロック機構６を、保持筒４に外挿された操作筒８と、保持筒４と操作筒８との間に装着され操作筒８を進退可能に動作させるコイルばね９と、操作筒８の前端部に形成した空間１０と、保持筒４の外周面から内周面に貫通する外拡がりのテーパ状の貫通孔１１と、この貫通孔１１に保持筒４の半径方向に移動可能に挿入されたボール１２と、保持筒４の前端外周面に装着された操作筒８の止めリング１３とからなるものとしている。
【００１１】
そして、この考案のドライバーは、前記操作筒８をコイルばね９の付勢力に対して後端側に移動させたときは、操作筒８の空間１０と貫通孔１１とが連通して、ボール１２が外方に移動可能となって、保持筒４にビット軸１が挿脱できる状態となり、前記操作筒８がコイルばね９の付勢力によって前端側に移動したときは、操作筒８の内周面により内方へ移動したボール１２がビット軸１の周溝３に嵌まって、保持筒４にビット軸１が抜け止め状態になるようにしている。
【考案の効果】
【００１２】
この考案のドライバーは、以上に述べたように構成されているので、ビット軸の長さ調節を行う場合、すなわちビット軸を短くするときも長くするときも握り柄の挿入孔からビット軸を引き抜くことなく行え、長さ調節を行う操作を簡単なものとし、しかも多段階に長さ調節を行うことができるものとなった。
【考案を実施するための最良の形態】
【００１３】
以下、この考案のドライバーの実施の形態を、図面に基づいて詳細に説明する。
【００１４】
この考案のドライバーは、図１に示したように、ビット軸１と握り柄２を別体としている。ビット軸１は、断面正六角形状とし、複数個所に周溝３を形成したものとしている。図示したものは、前記周溝３をビット軸１の前端部、中央部、後端部の三個所に形成したものとしているが、ビット軸１の二個所に形成したり、四個所以上に形成したものとしてもよい。握り柄２は、前記ビット軸１を回転不能に保持する保持筒４を前端部に設けると共に、内部をこのビット軸１の挿入孔５としている。なお、保持筒４は、ビット軸１を回転不能に保持するために、前記ビット軸１の断面正六角形状に対応した断面正六角形状の筒孔部４ａを有したものとしている。
【００１５】
前記ビット軸１の両端部には、プラスねじ用、マイナスねじ用、六角ナット用などの大小のヘッド１ａが設けられており、その両端部近辺は、必要に応じてビット軸１の短径より小さい直径の丸軸部１ｂとしている。
【００１６】
前記握り柄２の保持筒４には、ビット軸１を差し込んだ状態において、ビット軸１のいずれかの周溝３をロックして、このビット軸１を離反不能にするロック機構６を設けたものとしている。また、保持筒４の内周面には、ビット軸１を安定した状態に保持しておくために弾性ゴムよりなる０リング７を必要に応じて装着したものとしている。
【００１７】
前記ロック機構６は、保持筒４に外挿された操作筒８と、保持筒４と操作筒８との間に装着され操作筒８を進退可能に動作させるコイルばね９と、操作筒８の前端部に形成した空間１０と、保持筒４の外周面から内周面に貫通する外拡がりのテーパ状の貫通孔１１と、この貫通孔１１に保持筒４の半径方向に移動可能に挿入されたボール１２と、保持筒４の前端外周面に装着された操作筒８の止めリング１３とからなるものとしている。
【００１８】
そして、前記ロック機構６は、図２に示したように、操作筒８をコイルばね９の付勢力に対して後端側に移動させたときは、操作筒８の空間１０と貫通孔１１とが連通して、ボール１２が外方に移動可能となって、保持筒４にビット軸１が挿脱できる状態となるようにしている。さらに、前記ロック機構６は、図３に示したように、操作筒８がコイルばね９の付勢力によって前端側に移動したときは、操作筒８の内周面により内方へ移動したボール１２がビット軸１の周溝３に嵌まって、保持筒４にビット軸１が抜け止め状態になるようにしている。
【００１９】
以上のように構成したこの考案のドライバーにおいて、ビット軸１の長さ調節を行うには、次のようにして操作する。
【００２０】
先ず、図４に示したように、ロック機構６の操作筒８をコイルばね９の付勢力に対して後端側に移動させた状態で、ビット軸１を挿入孔５に向かって保持筒４に差し込んでいくと、図５に示したように、ビット軸１の後端部の周溝３とボール１２が一致し、このボール１２が周溝３に嵌まり、操作筒８がコイルばね９の付勢力によって前端側に移動し、保持筒４にビット軸１が抜け止め状態になり、ビット軸１の長いドライバーとして使用することができる。
【００２１】
次に、前記使用状態から、ビット軸１を挿入孔５に差し込んだまま、図６に示したように、ロック機構６の操作筒８をコイルばね９の付勢力に対して後端側に移動させ、前記ビット軸１を挿入孔５に向かって保持筒４に差し込んでいき、図７に示したように、ビット軸１の中央部の周溝３とボール１２とを一致させると、このボール１２が周溝３に嵌まり、操作筒８がコイルばね９の付勢力によって前端側に移動し、保持筒４にビット軸１が抜け止め状態になり、ビット軸１の中間長のドライバーとして使用することができる。
【００２２】
そして、前記使用状態から、ビット軸１を挿入孔５に差し込んだまま、図８に示したように、ロック機構６の操作筒８をコイルばね９の付勢力に対して後端側に移動させ、前記ビット軸１を挿入孔５に向かってさらに保持筒４に差し込んでいき、図９に示したように、ビット軸１の後端部の周溝３とボール１２とを一致させると、このボール１２が周溝３に嵌まり、操作筒８がコイルばね９の付勢力によって前端側に移動し、保持筒４にビット軸１が抜け止め状態になり、ビット軸１の短いドライバーとして使用することができる。
【００２３】
また、前記使用状態から、ビット軸１を挿入孔５に差し込んだまま、ロック機構６の操作筒８をコイルばね７の付勢力に対して後端側に移動させ、前記ビット軸１を挿入孔５と反対方向に保持筒４から引いていき、再び図７に示したように、ビット軸１の中央部に形成した周溝３とボール１２とを一致させると、このボール１２が周溝３に嵌まり、操作筒８がコイルばね９の付勢力によって前端側に移動し、保持筒４にビット軸１が抜け止め状態になり、再びビット軸１の中間長のドライバーとして使用することができる。
【００２４】
さらに、前記使用状態から、ビット軸１を挿入孔５に差し込んだまま、ロック機構６の操作筒８をコイルばね７の付勢力に対して後端側に移動させ、前記ビット軸１を挿入孔５と反対方向に保持筒４から引いていき、再び図５に示したように、ビット軸１の後端部に形成した周溝３とボール１０とを一致させると、このボール１０が周溝３に嵌まり、操作筒６がコイルばね９の付勢力によって前端側に移動し、保持筒４にビット軸１が抜け止め状態になり、再びビット軸１の長いドライバーとして使用することができる。
【００２５】
したがって、この考案のドライバーは、ビット軸を短くするときも長くするときも握り柄２の挿入孔５からビット軸１を引き抜くことなく行え、長さ調節を行う操作が簡単なものとなる。
【００２６】
また、この考案のドライバーは、前記実施例では周溝３をビット軸１の前端部、中間部、後端部の三個所に設けて三段階の長さ調節を行うものとしたが、前記周溝３をビット軸１の四個所以上に設ければ、四段階以上の長さ調節も簡単に行うことができるものとなる。
【図面の簡単な説明】
【００２７】
【図１】この考案のドライバーの一実施形態を示しており、握り柄からビット軸を外した状態の側面図である。
【図２】この考案のドライバーのロック機構の操作筒をコイルばねの付勢力に対して後端側に移動させた状態を示す要部断面図である。
【図３】この考案のドライバーのロック機構の操作筒がコイルばねの付勢力によって前端側に移動した状態を示す要部断面図である。
【図４】この考案のドライバーの長さ調節の操作状態を示す断面説明図である。
【図５】この考案のドライバーの長さ調節の操作状態を示す断面説明図である。
【図６】この考案のドライバーの長さ調節の操作状態を示す断面説明図である。
【図７】この考案のドライバーの長さ調節の操作状態を示す断面説明図である。
【図８】この考案のドライバーの長さ調節の操作状態を示す断面説明図である。
【図９】この考案のドライバーの長さ調節の操作状態を示す断面説明図である。
【図１０】従来のドライバーの一例を示しており、ビット軸を長くした状態の断面図である。
【図１１】図１０に示す従来のドライバーのビット軸を短くした状態の断面図である。
【図１２】従来のドライバーの他の例を示しており、ビット軸を長くした状態の斜視図である。
【図１３】図１２に示す従来のドライバーのビット軸を短くした状態の斜視図である。
【図１４】図１２に示す従来のドライバーのビット軸の側面図である。
【図１５】図１２に示す従来のドライバーの握り柄の側面図である。
【符号の説明】
【００２８】
１  ビット軸
２  握り柄
３  周溝
４  保持筒
５  挿入孔
６  ロック機構
８  操作筒
９  コイルばね
１０  空間
１１  貫通孔
１２  ボール
１３  止めリング
【図１】
0003117527.tif 000003
【図２】
0003117527.tif 000004
【図３】
0003117527.tif 000005
【図４】
0003117527.tif 000006
【図５】
0003117527.tif 000007
【図６】
0003117527.tif 000008
【図７】
0003117527.tif 000009
【図８】
0003117527.tif 000010
【図９】
0003117527.tif 000011
【図１０】
0003117527.tif 000012
【図１１】
0003117527.tif 000013
【図１２】
0003117527.tif 000014
【図１３】
0003117527.tif 000015
【図１４】
0003117527.tif 000016
【図１５】
0003117527.tif 000017